(57)【要約】【課題】座面が従来よりもゆっくりと便器に接触するように構成されたトイレを提供する。【解決手段】トイレは、数の脚部１１１Ｌ，１１１Ｒ，１１２Ｌ，１１２Ｒを含む本体部１１０と、前記本体部に上下方向に回動可能に取り付けられる座面１３１とを備える。前記本体部の上面のうちの、前記座面の回動中に前記座面が当接する位置に、前記座面の回動を抑制するための少なくとも１つの凸部を有する制動部材１５１，１５２，１５３，１５４が取り付けられる。【選択図】図９
2016022318.tif 000002
【特許請求の範囲】
【請求項１】
複数の脚部を含む本体部と、
前記本体部に上下方向に回動可能に取り付けられる座面とを備え、
前記本体部の上面のうちの、前記座面の回動中に前記座面が当接する位置に、前記座面の回動を抑制するための少なくとも１つの凸部を有する制動部材が取り付けられる、トイレ。
【請求項２】
前記座面は、２段階のヒンジを介して、前記本体部の上面の後部に回動可能に取り付けられる、請求項１に記載のトイレ。
【請求項３】
前記座面の前端部と前記本体部の前部との間の隙間が指の太さよりも広い状態で、前記制動部材の前記凸部が前記座面の端部に当接することによって、前記座面の下方への回動が抑制される、請求項２に記載のトイレ。
【請求項４】
前記制動部材は、複数の凸部を含み、
前記複数の凸部の高さは、後方にいくにつれて高くなる、請求項１から３のいずれか１項に記載のトイレ。
【請求項５】
前記制動部材は、複数の凸部を含み、
前記複数の凸部の間の間隔は、後方にいくにつれて狭くなる、請求項１から３のいずれか１項に記載のトイレ。
【請求項６】
前記制動部材は、複数の凸部を含み、
前記複数の凸部の前後方向の厚みは、後方にいくにつれて広くなる、請求項１から３のいずれか１項に記載のトイレ。
【請求項７】
複数の脚部を含む本体部と、
前記本体部に上下方向に回動可能に取り付けられる座面とを備え、
前記座面の端部には、前記座面の回動中に前記本体部の上面に当接することによって前記座面の回動を抑制するための制動部材が取り付けられる、トイレ。
【請求項８】
前記座面は、２段階のヒンジを介して、前記本体部の上面の後部に回動可能に取り付けられる、請求項７に記載のトイレ。
【発明の詳細な説明】
【技術分野】
【０００１】
本発明は、トイレに関し、特にユーザが腰かける座面を上げたり下げたりすることができるトイレに関する。
【背景技術】
【０００２】
従来から、ユーザが腰かける座面を上げたり下げたりすることができるトイレが知られている。たとえば、特開２０００−００８６８２号公報（特許文献１）には、開閉蓋用ヒンジおよびこれを用いた蓋とその容器等が開示されている。特許文献１によると、固定部材間に連結部材を連結軸により回動自在に取り付け、連結軸の位置で固定部材と連結部材、更に連結部材と固定部材との間を折り曲げ自在に構成した。固定部材を例えば蓋体に、固定部材を例えば容器本体に固定することにより、連結部材の長さに対応して蓋体全体が移行し、蓋体を９０度以上に開くことができ、容器の背面に壁面等があっても蓋体を自然落下のない角度に開き得る。歩行補助車の座席兼用の蓋体や、椅子式トイレの蓋体等に用いて、使い勝手を向上させることができる。
【先行技術文献】
【特許文献】
【０００３】
【特許文献１】特開２０００−００８６８２号公報
【発明の概要】
【発明が解決しようとする課題】
【０００４】
しかしながら、座面を倒す際に、座面の自重により座面が勢いよく本体または便器に衝突する可能性があった。この場合、大きな音が鳴ってユーザが驚くという不具合があった。
【０００５】
本発明は、かかる問題を解決するためになされたものであり、その目的は、座面が従来よりもゆっくりと便器に接触するように構成されたトイレを提供することにある。
【課題を解決するための手段】
【０００６】
この発明のある局面に従うと、複数の脚部を含む本体部と、本体部に上下方向に回動可能に取り付けられる座面とを備えるトイレが提供される。本体部の上面のうちの、座面の回動中に座面が当接する位置に、座面の回動を抑制するための少なくとも１つの凸部を有する制動部材が取り付けられる。
【０００７】
好ましくは、座面は、２段階のヒンジを介して、本体部の上面の後部に回動可能に取り付けられる。
【０００８】
好ましくは、座面の前端部と本体部の前部との間の隙間が指の太さよりも広い状態で、制動部材の凸部が座面の端部に当接することによって、座面の下方への回動が抑制される。
【０００９】
好ましくは、制動部材は、複数の凸部を含む。複数の凸部の高さは、後方にいくにつれて高くなる。
【００１０】
好ましくは、制動部材は、複数の凸部を含む。複数の凸部の間の間隔は、後方にいくにつれて狭くなる。
【００１１】
好ましくは、制動部材は、複数の凸部を含む。複数の凸部の前後方向の厚みは、後方にいくにつれて広くなる。
【００１２】
この発明の別の態様に従うと、複数の脚部を含む本体部と、本体部に上下方向に回動可能に取り付けられる座面とを備えるトイレが提供される。座面の端部には、座面の回動中に本体部の上面に当接することによって座面の回動を抑制するための制動部材が取り付けられる。
【００１３】
好ましくは、座面は、２段階のヒンジを介して、本体部の上面の後部に回動可能に取り付けられる。
【発明の効果】
【００１４】
以上のように、この発明によれば、座面が従来よりもゆっくりと本体部に接触するように構成されたトイレが提供される。
【図面の簡単な説明】
【００１５】
【図１】第１の実施の形態にかかる座面１３１を下した状態におけるポータブルトイレ１００全体の前方斜視図である。
【図２】第１の実施の形態にかかる座面１３１を下した状態におけるポータブルトイレ１００全体の後方斜視図である。
【図３】第１の実施の形態にかかる座面１３１を下した状態におけるポータブルトイレ１００全体の平面図である。
【図４】図３におけるＩＶ−ＩＶ断面図である。
【図５】第１の実施の形態にかかる座面１３１を上げた状態におけるポータブルトイレ１００全体の前方斜視図である。
【図６】第１の実施の形態にかかる座面１３１が上がった状態かつプレート１３３も上がった状態における図３のＶＩ−ＶＩ断面図である。
【図７】第１の実施の形態にかかる座面１３１が上がった状態かつプレート１３３が下がった状態における図３のＶＩ−ＶＩ断面図である。
【図８】第１の実施の形態にかかる座面１３１が降下する途中の状態における図３のＶＩ−ＶＩ断面図である。
【図９】第１の実施の形態にかかる、図８の一部、すなわち座面１３１の下端部１３１Ｚと本体部１１０の上面の後部とが接触している場所の付近、を示す拡大側面断面図である。
【図１０】第１の実施の形態にかかる座面１３１が下がった状態における図３のＶＩ−ＶＩ断面図である。
【図１１】第２の実施の形態にかかる、図８の一部、すなわち座面１３１の下端部１３１Ｚと本体部１１０の上面の後部とが接触している場所の付近、を示す拡大側面断面図である。
【図１２】第３の実施の形態にかかる、図８の一部、すなわち座面１３１の下端部１３１Ｚと本体部１１０の上面の後部とが接触している場所の付近、を示す拡大側面断面図である。
【図１３】第４の実施の形態にかかる、図８の一部、すなわち座面１３１の下端部１３１Ｚと本体部１１０の上面の後部とが接触している場所の付近、を示す拡大側面断面図である。
【図１４】第４の実施の形態にかかる座面１３１が降下する途中の状態における図３のＶＩ−ＶＩ断面図である。
【図１５】第５の実施の形態にかかる座面１３１が上がった状態かつプレート１３３が下がった状態における図３のＶＩ−ＶＩ断面図である。
【図１６】第５の実施の形態にかかる座面１３１が降下する途中の状態における図３のＶＩ−ＶＩ断面図である。
【図１７】第５の実施の形態にかかる座面１３１が下がった状態における図３のＶＩ−ＶＩ断面図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。なお、以下では、ユーザが持ち運ぶことが可能なポータブルトイレについて説明するが、下記の技術は、住宅やビルなどに備え付けられる通常のトイレにも適用な可能なものである。
［第１の実施の形態］
＜ポータブルトイレの全体構成＞
【００１７】
まずは、図１から図５を参照して、本実施の形態にかかるポータブルトイレ１００の全体構成について説明する。なお、図１は、本実施の形態にかかる座面１３１を下した状態におけるポータブルトイレ１００全体の前方斜視図である。図２は、本実施の形態にかかる座面１３１を下した状態におけるポータブルトイレ１００全体の後方斜視図である。図３は、本実施の形態にかかる座面１３１を下した状態におけるポータブルトイレ１００全体の平面図である。図４は、図３におけるＩＶ−ＩＶ断面図である。図５は、本実施の形態にかかる座面１３１を上げた状態におけるポータブルトイレ１００全体の前方斜視図である。
【００１８】
本実施の形態にかかるポータブルトイレ１００は、主に、椅子本体部１１０と、座面１３１とを含む。座面１３１の後部は、椅子本体部１１０の上面の後部に回動可能に取り付けられている。
【００１９】
まず、椅子本体部１１０は、前側面部１２１と、左側面部１２２Ｌと、左側面部と、後側面部１２３とによって構成される基部１２０を含む。基部１２０は、後述するバケツ１５０の側面を囲うとともに、座面１３１を下方から支える役割も果たす。基部１２０の前部には、前脚１１１Ｌ，１１１Ｒが取り付けられている。基部１２０の後部には、後脚１１２Ｌ，１１２Ｒが取り付けられている。
【００２０】
前脚１１１Ｌ，１１１Ｒの各々は、基部１２０よりもさらに上方まで延設される。前脚１１１Ｌ，１１１Ｒのそれぞれの上部には、後方に向けて、肘掛１１６Ｌ，１１６Ｒが固設される。肘掛１１６Ｌ，１１６Ｒのそれぞれの後部は、後脚１１２Ｌ，１１２Ｒの上部に固設される。
【００２１】
後脚１１２Ｌ，１１２Ｒは、基部１２０よりもさらに上方まで延設される。後脚１１２Ｌ，１１２Ｒのそれぞれの上端は、前脚１１１Ｌ，１１１Ｒの上端よりも高い位置にまで達する。後脚１１２Ｌ，１１２Ｒの上部には、左右方向に背もたれ１１７，１１７が架け渡される。
【００２２】
基部１２０の上面は、その中央部にバケツ１５０を嵌挿するための穴が形成されている。具体的には、穴の周囲にバケツ１５０の周囲が引っ掛けられる。基部１２０の下部には、バケツ１５０の下面を覆うように、汚水受け１４０が形成されている。なお、汚水受け１４０も、清掃しやすいように、基部１２０から着脱自在に構成されていることが好ましい。
【００２３】
基部１２０の上面の後部には、下回動軸１３２Ｙが取り付けられている。
【００２４】
一方、座面１３１の後部、あるいは下部には、上回動軸１３２Ｘが形成されている。そして、下回動軸１３２Ｙと上回動軸１３２Ｘとの間には、ポータブルトイレ１００の左右方向に細長いプレート１３３が配置されている。具体的には、プレート１３３は、上部が上回動軸１３２Ｘに回動可能に軸支され、下部が下回動軸１３２Ｙに回動可能に軸支される。すなわち、上回動軸１３２Ｘと下回動軸１３２Ｙとプレート１３３とが２段階のヒンジの役割を果たす。
【００２５】
このようにして、座面１３１は、その後下方を軸に、上下方向に回動可能に構成されている。具体的には、図５に示すように、座面１３１は、後部を軸にして、上方に回動することができる。
【００２６】
なお、図５に示すように、ユーザがトイレを使用しないときなどにバケツ１５０の上方を閉じられるように、バケツ１５０または汚水受け１４０の上部は、蓋１５９が載置できるように構成されていることが好ましい。
＜座面の回動動作および座面の降下を制動するための機構＞
【００２７】
次に、図６から図１０を参照して、本実施の形態にかかるポータブルトイレ１００の座面１３１の回動動作および座面１３１の降下を制動するための機構について説明する。なお、図６は、本実施の形態にかかる座面１３１が上がった状態かつプレート１３３も上がった状態における図３のＶＩ−ＶＩ断面図である。図７は、本実施の形態にかかる座面１３１が上がった状態かつプレート１３３が下がった状態における図３のＶＩ−ＶＩ断面図である。図８は、本実施の形態にかかる座面１３１が降下する途中の状態における図３のＶＩ−ＶＩ断面図である。図９は、本実施の形態にかかる、図８の一部、すなわち座面１３１の下端部１３１Ｚと本体部１１０の上面の後部とが接触している場所の付近、を示す拡大側面断面図である。図１０は、本実施の形態にかかる座面１３１が下がった状態における図３のＶＩ−ＶＩ断面図である。
【００２８】
まず、図６を参照して、ユーザは、バケツ１５０を取り出したり、汚水受け１４０を取り出したりするために、座面１３１を持ち上げることができる。本実施の形態にかかるポータブルトイレ１００は、プレート１３３が立ち上がった状態まで、座面１３１を上方へ持ち上げることができる。
【００２９】
これによって、バケツ１５０を本体部１１０から引き出す際に、バケツ１５０の後方が座面１３１の下部に接触し難くなり、その結果、バケツ１５０が本体部１１０から取り出しやすくなる。
【００３０】
次に、図７を参照して、ユーザは、座面１３１を使用状態へ移行させるために、まず、プレート１３３が水平の状態になるまで、座面１３１を前下方へ移動させることができる。
【００３１】
これによって、座面１３１の下部と背もたれ１１７の下部との間隔が広くなる。つまり、座面１３１を、垂直よりも後方、すなわち垂直よりも背もたれ１１７側に、傾けることができる。その結果、座面１３１の略倒立状態が安定するようになり、バケツ１５０または汚水受け１４０の清掃中に座面１３１が前方に倒れてくる可能性を低減することができる。
【００３２】
次に、図８を参照して、ユーザは、座面１３１をさらに使用状態へと移行させるために、プレート１３３を略水平の状態にした状態で、座面１３１を前下方へ回動させる、すなわち座面１３１を降下させる。なお、本実施の形態にかかるポータブルトイレ１００に関しては、座面１３１の重心の前後方向の位置が、上回動軸１３２Ｘよりも前方に位置すると、座面１３１は自重によって前下方へ自ら回動し始める。
【００３３】
ここで、図８および図９を参照して、本実施の形態においては、本体部１１０の上面の後部に、すなわち本体部１１０の上面のうちの座面１３１の降下中に座面１３１の下端部１３１Ｚが当接する位置に、制動部材１５１が配置されている。制動部材１５１は、略水平な略板状部材である。
【００３４】
本実施の形態にかかる制動部材１５１の上面には、複数の凸部１５１Ｘ，１５１Ｘ・・・が形成されている。このため、座面１３１が前下方へ回動する際には、座面１３１の下端部１３１Ｚが、複数の凸部１５１Ｘ，１５１Ｘ・・・に順にぶつかっていく。換言すれば、座面１３１が前下方へ回動する際には、座面１３１の下端部、すなわち座面１３１の使用状態における座面１３１の後壁が、前方の凸部１５１Ｘの前上部の角から後方の凸部１５１Ｘの前上部の角へと順番にぶつかっていく。
【００３５】
これによって、座面１３１が前下方に回動する速度が制限される。その結果、座面１３１の底面が本体部１１０の上面にぶつかる音を小さくすることができる。あるいは、座面１３１と本体部１１０との間に指があった場合などに、本体部１１０と座面１３１とが指が勢いよく挟んでしまう可能性も低減することができる。
【００３６】
図１０を参照して、最終的に、座面１３１は前下方へ回動し、座面１３１の前部が本体部１１０の上面の前部に当接するようになる。すなわち、座面１３１が略水平に維持される。これによって、ユーザは、座面１３１の上に座ることができるようになる。
［第２の実施の形態］
【００３７】
上記の第１の実施の形態においては、図９に示すように、制動部材１５１の上面に、複数の同じ形状の突起が、同じ間隔をあけて形成されているものであった。しかしながら、複数の突起の形状は、全て同じである必要はない。
【００３８】
なお、以下では、図１１を参照して、本実施の形態にかかる制動部材１５２の構成について説明するものとし、ポータブルトイレ１００の全体構成と座面１３１の回動動作および座面１３１の降下を制動するための機構の概要については、第１の実施の形態と同様であるため、ここでは説明を繰り返さない。なお、図１１は、本実施の形態にかかる、図８の一部、すなわち座面１３１の下端部１３１Ｚと本体部１１０の上面の後部とが接触している場所の付近、を示す拡大側面断面図である。
【００３９】
図８および図１１を参照して、本実施の形態においては、本体部１１０の上面の後部に、すなわち本体部１１０の上面のうちの座面１３１の降下中に座面１３１の下端部１３１Ｚが当接する位置に、制動部材１５２が配置されている。制動部材１５２は、略水平な略板状部材である。
【００４０】
本実施の形態にかかる制動部材１５２の上面には、複数の凸部１５２−１，１５２−２，１５２−３・・・が形成されている。このため、座面１３１が前下方へ回動する際には、座面１３１の下端部１３１Ｚが、複数の凸部１５２−１，１５２−２，１５２−３・・・に順にぶつかっていく。換言すれば、座面１３１が前下方へ回動する際には、座面１３１の下端部、すなわち座面１３１の使用状態における座面１３１の後壁が、前方の凸部１５２−１，１５２−２，１５２−３・・・の前上部の角から後方の凸部１５２−１，１５２−２，１５２−３・・・の前上部の角へと順番にぶつかっていく。
【００４１】
これによって、座面１３１が前下方に回動する速度が制限される。その結果、座面１３１の底面が本体部１１０の上面にぶつかる音を小さくすることができる。あるいは、座面１３１と本体部１１０との間に指があった場合などに、本体部１１０と座面１３１とが指が勢いよく挟んでしまう可能性も低減することができる。
【００４２】
特に、本実施の形態においては、複数の凸部１５２−１，１５２−２，１５２−３・・・の高さが、後方にいくにつれて高く形成されている。これによって、座面１３１の傾きが小さくなるにつれて、すなわち自重による加速度が大きくなるにつれて、複数の凸部１５２−１，１５２−２，１５２−３・・・による制動力が大きくなる。その結果、座面１３１の回動スピードまたは降下スピードの変化量を低減し、最後まで、より安定して回動または降下するようになる。
【００４３】
なお、本実施の形態においては、さらに、複数の凸部１５２−１，１５２−２，１５２−３・・・の前後方向の厚みが、後方にいくにつれて肉厚に形成されている。これによっても、座面１３１の傾きが小さくなるにつれて、すなわち自重による加速度が大きくなるにつれて、複数の凸部１５２−１，１５２−２，１５２−３・・・による制動力が大きくなる。その結果、座面１３１の回動スピードまたは降下スピードの変化量を低減し、最後まで、より安定して回動または降下するようになる。
［第３の実施の形態］
【００４４】
上記の第１の実施の形態においては、図９に示すように、制動部材１５１の上面に、複数の同じ形状の突起が、同じ間隔をあけて形成されているものであった。しかしながら、複数の突起の１５１Ｘの間隔は、全て同じである必要はない。
【００４５】
なお、以下では、図１２を参照して、本実施の形態にかかる制動部材１５２の構成について説明するものとし、ポータブルトイレ１００の全体構成と座面１３１の回動動作および座面１３１の降下を制動するための機構の概要については、第１の実施の形態と同様であるため、ここでは説明を繰り返さない。なお、図１２は、本実施の形態にかかる、図８の一部、すなわち座面１３１の下端部１３１Ｚと本体部１１０の上面の後部とが接触している場所の付近、を示す拡大側面断面図である。
【００４６】
図８および図１２を参照して、本実施の形態においては、本体部１１０の上面の後部に、すなわち本体部１１０の上面のうちの座面１３１の降下中に座面１３１の下端部１３１Ｚが当接する位置に、制動部材１５３が配置されている。制動部材１５３は、略水平な略板状部材である。
【００４７】
本実施の形態にかかる制動部材１５３の上面には、複数の凸部１５３−１，１５３−２，１５３−３・・・が形成されている。このため、座面１３１が前下方へ回動する際には、座面１３１の下端部１３１Ｚが、複数の凸部１５３−１，１５３−２，１５３−３・・・に順にぶつかっていく。換言すれば、座面１３１が前下方へ回動する際には、座面１３１の下端部、すなわち座面１３１の使用状態における座面１３１の後壁が、前方の凸部１５３−１，１５３−２，１５３−３・・・の前上部の角から後方の凸部の前上部の角へと順番にぶつかっていく。
【００４８】
これによって、座面１３１が前下方に回動する速度が制限される。その結果、座面１３１の底面が本体部１１０の上面にぶつかる音を小さくすることができる。あるいは、座面１３１と本体部１１０との間に指があった場合などに、本体部１１０と座面１３１とが指が勢いよく挟んでしまう可能性も低減することができる。
【００４９】
特に、本実施の形態においては、複数の凸部１５３−１，１５３−２，１５３−３・・・の間の間隔が、後方にいくにつれて狭く形成されている。これによって、座面１３１の傾きが小さくなるにつれて、すなわち自重による加速度が大きくなるにつれて、複数の凸部１５３−１，１５３−２，１５３−３・・・による制動力が大きくなる。その結果、座面１３１の回動スピードまたは降下スピードの変化量を低減し、最後まで、より安定して回動または降下するようになる。
［第４の実施の形態］
【００５０】
上記の第１の実施の形態においては、図９に示すように、制動部材１５１の上面に、複数の同じ形状の突起が、同じ間隔をあけて形成されているものであった。しかしながら、突起は、複数である必要はない。
【００５１】
なお、以下では、図１３と図１４を参照して、本実施の形態にかかる制動部材１５４の構成について説明するものとし、ポータブルトイレ１００の全体構成と座面１３１の回動動作については、第１の実施の形態と同様であるため、ここでは説明を繰り返さない。なお、図１３は、本実施の形態にかかる、図８の一部、すなわち座面１３１の下端部１３１Ｚと本体部１１０の上面の後部とが接触している場所の付近、を示す拡大側面断面図である。図１４は、本実施の形態にかかる座面１３１が降下する途中の状態における図３のＶＩ−ＶＩ断面図である。
【００５２】
図８および図１３を参照して、本実施の形態においては、本体部１１０の上面の後部に、すなわち本体部１１０の上面のうちの座面１３１の降下中に座面１３１の下端部１３１Ｚが当接する位置に、制動部材１５４が配置されている。制動部材１５４は、略水平な略板状部材である。
【００５３】
本実施の形態にかかる制動部材１５４の上面には、凸部１５４Ｘが形成されている。このため、座面１３１が前下方へ回動する際には、座面１３１の下端部１３１Ｚが、凸部１５４Ｘにぶつかる。換言すれば、座面１３１が前下方へ回動する際に、座面１３１の下端部、すなわち座面１３１の使用状態における座面１３１の後壁が、凸部１５４Ｘの前上部の角にぶつかる。
【００５４】
これによって、座面１３１が前下方に回動する速度が制限される。その結果、座面１３１の底面が本体部１１０の上面にぶつかる音を小さくすることができる。あるいは、座面１３１と本体部１１０との間に指があった場合などに、本体部１１０と座面１３１とが指が勢いよく挟んでしまう可能性も低減することができる。
【００５５】
特に、本実施の形態においては、図１４に示すように、座面１３１の前部と本体部１１０の前側面部１２１の上端部１２１Ｘとの間に指を挟まない程度の隙間、たとえば、２ｃｍ〜３ｃｍの隙間が生じる状態において、座面１３１の後壁が凸部１５４Ｘの前上部の角にぶつかるように、凸部１５４Ｘの形状や位置を決めることが好ましい。
【００５６】
すなわち、本実施の形態にかかるポータブルトイレ１００は、上記の隙間が生じるタイミングにおける座面１３１と凸部１５４Ｘとの衝突によって一度回動速度を緩めてから本体部１１０の上面まで降下するように構成される。ただし、ポータブルトイレ１００は、座面１３１と凸部１５４Ｘとの衝突によって、上記の隙間が生じる状態で座面１３１の降下が止まってもよい。この場合は、ユーザがさらに強い力で座面１３１を上から押し下げることによって座面１３１が本体部１１０の上面に接触する。
［第５の実施の形態］
【００５７】
上記の第１の実施の形態においては、図６〜図１４に示すように、本体部１１０の上面に制動部材１５１，１５２，１５３，１５４が配置されるものであった。しかしながら、制動部材は、座面１３１に取り付けられてもよい。
＜座面の回動動作および座面の降下を制動するための機構＞
【００５８】
なお、以下では、図１５から図１７を参照して、本実施の形態にかかる座面の回動動作および座面の降下を制動するための機構について説明するものとし、ポータブルトイレ１００の全体構成については、第１〜第４の実施の形態と同様であるため、ここでは説明を繰り返さない。なお、図１５は、本実施の形態にかかる座面１３１が上がった状態かつプレート１３３が下がった状態における図３のＶＩ−ＶＩ断面図である。図１６は、本実施の形態にかかる座面１３１が降下する途中の状態における図３のＶＩ−ＶＩ断面図である。図１７は、本実施の形態にかかる座面１３１が下がった状態における図３のＶＩ−ＶＩ断面図である。
【００５９】
まず、本実施の形態にかかる座面１３１が上がった状態かつプレート１３３も上がった状態に関しては、第１の実施の形態と同様である。ユーザは、バケツ１５０を取り出したり、汚水受け１４０を取り出したりするために、座面１３１を持ち上げることができる。本実施の形態にかかるポータブルトイレ１００は、プレート１３３が立ち上がった状態まで、座面１３１を上方へ持ち上げることができる。
【００６０】
これによって、バケツ１５０を本体部１１０から引き出す際に、バケツ１５０の後方が座面１３１の下部に接触し難くなり、その結果、バケツ１５０が本体部１１０から取り出しやすくなる。
【００６１】
次に、図１５を参照して、ユーザは、座面１３１を使用状態へ移行させるために、まず、プレート１３３が水平の状態になるまで、座面１３１を前下方へ移動させることができる。
【００６２】
これによって、座面１３１の下部と背もたれ１１７の下部との間隔が広くなる。つまり、座面１３１を、垂直よりも後方、すなわち垂直よりも背もたれ１１７側に、傾けることができる。その結果、座面１３１の略倒立状態が安定するようになり、バケツ１５０または汚水受け１４０の清掃中に座面１３１が前方に倒れてくる可能性を低減することができる。
【００６３】
次に、図１６を参照して、ユーザは、座面１３１をさらに使用状態へと移行させるために、プレート１３３を略水平の状態にした状態で、座面１３１を前下方へ回動させる、すなわち座面１３１を降下させる。なお、本実施の形態にかかるポータブルトイレ１００に関しては、座面１３１の重心の前後方向の位置が、上回動軸１３２Ｘよりも前方に位置すると、座面１３１は自重によって前下方へ自ら回動し始める。
【００６４】
本実施の形態においては、座面１３１の下端部に、すなわち座面１３１の降下中に本体部１１０の上面と当接する位置に、制動部材１７２が配置されている。制動部材１７２は、本体部１１０の上面との摩擦係数が大きい材料から構成されている。たとえば、制動部材１７２は、その表面が凸凹していたり、その表面に複数の凸部または凹部が形成されたりしていることが好ましい。
【００６５】
このため、座面１３１が前下方へ回動する際には、座面１３１の下端部に取り付けられた制動部材１７２が、本体部１１０の上面でこすれる。
【００６６】
これによって、座面１３１が前下方に回動する速度が制限される。その結果、座面１３１の底面が本体部１１０の上面にぶつかる音を小さくすることができる。あるいは、座面１３１と本体部１１０との間に指があった場合などに、本体部１１０と座面１３１とが指が勢いよく挟んでしまう可能性も低減することができる。
【００６７】
図１７を参照して、最終的に、座面１３１は前下方へ回動し、座面１３１の前部が本体部１１０の上面の前部に当接するようになる。すなわち、座面１３１が略水平に維持される。これによって、ユーザは、座面１３１の上に座ることができるようになる。
＜まとめ＞
【００６８】
以上のように、第１から第４の実施の形態にかかるトイレ１００は、複数の脚部１１１Ｌ，１１１Ｒ，１１２Ｌ，１１２Ｒを含む本体部１１０と、本体部１１０に上下方向に回動可能に取り付けられる座面１３１とを備える。本体部の上面のうちの、座面１３１の回動中に座面１３１が当接する位置に、座面の回動を抑制するための少なくとも１つの凸部を有する制動部材１５１，１５２，１５３，１５４が取り付けられる。
【００６９】
さらに、本実施の形態においては、座面１３１は、２段階のヒンジ１３２Ｘ，１３２Ｙを介して、本体部１１０の上面の後部に回動可能に取り付けられる。
【００７０】
さらに、本実施の形態においては、座面１３１の前端部と本体部１１０の前部との間の隙間が指の太さよりも広い状態で、制動部材１５１，１５２，１５３，１５４の凸部１５１Ｘ，１５２−１，１５３−１，１５４が座面１３１の端部に当接することによって、座面１３１の下方への回動が抑制される。
【００７１】
さらに、第２の実施の形態においては、制動部材１５２は、複数の凸部１５２−１，１５２−２，１５２−３・・・を含む。複数の凸部１５２−１，１５２−２，１５２−３・・・の高さは、後方にいくにつれて高くなる。なお、複数の凸部１５２−１，１５２−２，１５２−３・・・の間の溝の深さが、後方にいくにつれて深くなってもよい。
【００７２】
さらに、第２の実施の形態においては、制動部材１５２は、複数の凸部１５２−１，１５２−２，１５２−３・・・を含む。複数の凸部１５２−１，１５２−２，１５２−３・・・の前後方向の厚みは、後方にいくにつれて厚くなる。これは、凸部の幅が凹部の幅よりも小さい場合に、特に有効である。
【００７３】
さらに、第３の実施の形態においては、制動部材１５３は、複数の凸部１５３−１，１５３−２，１５３−３・・・を含む。複数の凸部１５３−１，１５３−２，１５３−３・・・の間の間隔は、後方にいくにつれて狭くなる。
【００７４】
また、第５の実施の形態においては、トイレ１００は、複数の脚部１１１Ｌ，１１１Ｒ，１１２Ｌ，１１２Ｒを含む本体部１１０と、本体部１１０に上下方向に回動可能に取り付けられる座面１３１とを備える。座面１３１の端部には、座面１３１の回動中に本体部１１０の上面に当接することによって座面１３１の回動を抑制するための制動部材１７２が取り付けられる。
【００７５】
さらに、第５の実施の形態においては、座面１３１は、２段階のヒンジ１３２Ｘ，１３２Ｙを介して、本体部１１０の上面の後部に回動可能に取り付けられる。
【００７６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７７】
１００      ：トイレ
１１０      ：椅子本体部
１１１Ｌ    ：前脚
１１１Ｒ    ：前脚
１１２Ｌ    ：後脚
１１２Ｒ    ：後脚
１１６Ｌ    ：肘掛
１１６Ｒ    ：肘掛
１１７      ：背もたれ
１２０      ：基部
１２１      ：前側面部
１２１Ｘ    ：上端部
１２２Ｌ    ：左側面部
１２３      ：後側面部
１３１      ：座面
１３１Ｚ    ：下端部
１３２Ｘ    ：上回動軸
１３２Ｙ    ：下回動軸
１３３      ：プレート
１４０      ：汚水受け
１５０      ：バケツ
１５１      ：制動部材
１５１Ｘ    ：凸部
１５２      ：制動部材
１５２−１  ：凸部
１５３      ：制動部材
１５３−１  ：凸部
１５４      ：制動部材
１５４Ｘ    ：凸部
１５９      ：蓋
１７２      ：制動部材
【図１】
2016022318.tif 000003
【図２】
2016022318.tif 000004
【図３】
2016022318.tif 000005
【図４】
2016022318.tif 000006
【図５】
2016022318.tif 000007
【図６】
2016022318.tif 000008
【図７】
2016022318.tif 000009
【図８】
2016022318.tif 000010
【図９】
2016022318.tif 000011
【図１０】
2016022318.tif 000012
【図１１】
2016022318.tif 000013
【図１２】
2016022318.tif 000014
【図１３】
2016022318.tif 000015
【図１４】
2016022318.tif 000016
【図１５】
2016022318.tif 000017
【図１６】
2016022318.tif 000018
【図１７】
2016022318.tif 000019